(57)【特許請求の範囲】
【請求項１】
マイクロ波を受信するアンテナと、
受信したマイクロ波を整流する整流素子と、
前記整流素子と並列に接続されたインピ−ダンス調整用素子と、
前記整流素子と前記アンテナを整合させる整合回路と、
前記整流素子によって整流された出力を平滑化する低域通過フィルタとを有し、前記アンテナの給電端に前記整合回路を接続し、前記整流素子の一端を前記整合回路、他端を前記低域通過フィルタと接続する構成として、前記整流素子のばらつきに応じて前記インピ−ダンス調整用素子のインピーダンス値を変え、整流効率を一定に保つことを特徴としたマイクロ波給電回路。
【請求項２】
マイクロ波を受信するアンテナと、
受信したマイクロ波を整流する整流素子と、
前記整流素子と並列に接続されたインピ−ダンス調整用素子と、
前記整流素子と前記アンテナを整合させる整合回路と、
前記整流素子によって整流された出力を平滑化する低域通過フィルタとを有し、前記アンテナの給電端に前記整合回路を接続し、前記整流素子の一端を整合回路及び前記低域通過フィルタとに接続し、他端を接地する構成として、前記整流素子のばらつき及び実装ばらつきに応じて前記インピーダンス調整用素子のインピーダンス値を変え、整流効率を一定に保つことを特徴としたマイクロ波給電回路。
【請求項３】
少なくともマイクロ波を受信するアンテナが形成された基板と、
前記基板にフリップチップ実装され、受信したマイクロ波を整流する整流素子と、
前記アンテナと前記整流素子を整合させる整合回路とを有するICと、
前記整流素子と並列に配置され、前記ICと前記基板の間の距離によってインピーダンス値が決定されるインピーダンス調整用キャパシタとを有するマイクロ波給電回路。
【請求項４】
少なくともマイクロ波を受信するアンテナが形成された基板と、
前記基板にフリップチップ実装され、受信したマイクロ波を整流する整流素子と前記アンテナと前記整流素子を整合させる整合回路とを有するICと、
前記整流素子と並列に配置され、前記ICに形成された第1の配線と前記基板に形成された第２の配線によって構成されるインピーダンス調整用スパイラルインダクタとを有し、
前記第1の配線と前記第２の配線の接点数によって、前記インピーダンス調整用スパイラルインダクタのインピーダンス値が決定されるマイクロ波給電回路。
【請求項５】
キャパシタをインピーダンス調整用素子として用いることを特徴とした請求項１、２記載のマイクロ波給電回路。
【請求項６】
スパイラルインダクタをインピーダンス調整用素子として用いることを特徴とした請求項１、２記載のマイクロ波給電回路。
【請求項７】
請求項１〜６記載のマイクロ波給電回路を用いることを特徴とした移動体識別装置。
【請求項８】
請求項３記載のマイクロ波給電回路を作製する方法であって、ＩＣと基板の間の距離の調整は、前記ＩＣと基板前記ICを実装する際の加圧強度によっておこなうことを特徴とするマイクロ波給電回路製造方法。
【請求項９】
請求項４記載のマイクロ波給電回路を作製する方法であって、前記第1の配線と前記第２の配線の接点数は、前記ICを実装する際の加圧強度によって調整することを特徴とするマイクロ波給電回路製造方法。
【発明の詳細な説明】
【０００１】
【発明の属する技術分野】
本発明は放射された微弱なマイクロ波を受信し、整流した直流電圧によって電源供給を行う回路に関し、特に、移動体識別装置用応答器のマイクロ波給電回路及び本回路構成を用いた移動体識別装置用応答器に関するものである。
【０００２】
【従来の技術】
従来、応答器を人が所持しまたは移動体に付設し、この応答器に予め情報が記憶され、定置される質問器よりこの応答器にマイクロ波帯の電波で質問信号を送信し、この質問信号を受信復調した応答器は適宜な応答信号を電波で質問器に返送し、質問器は受信した応答信号を適宜な復調手段で復調することで、応答器に記憶されている情報を入手し、人または移動体を識別する等の装置やシステムが提案及び実現されている。
【０００３】
商用交流電源または内蔵電池により応答器内の電子回路を動作させる場合、複雑な信号処理や充分な送信電力を得る事が可能となるが、応答器の小型軽量化、低価格化また寿命の点で充分な満足を得られない。そのため、外部の質問器から応答器に向けて放射された電波の電力を駆動電力として利用するようにした技術が、特開昭６３−５４０２３号公報等に示されている。
【０００４】
ここで示された応答器の概要は、図９に示すように、基板９０１上に質問信号波長の１／２の長さとして選択したマイクロストリップライン９０２と放射素子９０３をメタライズドしてアンテナを形成し、アンテナで受信したマイクロ波帯電波をダイオード９０４ａによって整流し、応答信号をダイオード９０４ｂに加え応答信号を送信するものである。
【０００５】
【発明が解決しようとする課題】
しかしながら上記の従来の構成では、ダイオードの標準的な特性をもとに整合回路の特性を含む、アンテナとの接続条件を決定しているため、ダイオード特性がばらつくことによって、マイクロ波帯電波のエネルギ波を効率良く直流電力に変換できなくなるという課題を有していた。
【０００６】
本発明は上記従来技術の課題を解決するもので、前記のようにダイオード回路を構成することにより、効率良く直流電力が得られるマイクロ波給電回路を提供することを目的とする。
【０００７】
【発明を解決するための手段】
この課題を解決するために本発明は、整流用ダイオードと並列に調整用素子を具備し、ダイオード特性のばらつきに応じて調整可能に構成したものである。
【０００８】
これにより、小型かつ安価で、効率良く直流電力が得られるマイクロ波給電回路が構成できる。
【０００９】
【発明の実施の形態】
本発明の請求項１に記載の発明は、マイクロ波を受信するアンテナと、受信したマイクロ波を整流する整流素子と、前記整流素子と並列に接続されたインピ−ダンス調整用素子と、前記整流素子と前記アンテナを整合させる整合回路と、前記整流素子によって整流された出力を平滑化する低域通過フィルタとを有し、前記アンテナの給電端に前記整合回路を接続し、前記整流素子の一端を前記整合回路、他端を前記低域通過フィルタと接続する構成として、前記整流素子のばらつきに応じて前記インピ−ダンス調整用素子のインピーダンス値を変え、整流効率を一定に保つことを特徴としたマイクロ波給電回路としたものであり、簡便な回路構成により整流ダイオードの特性ばらつきによるマイクロ波給電回路の整流効率の劣化を調整、改善させられるという作用を有する。
【００１０】
本発明の請求項２に記載の発明は、マイクロ波を受信するアンテナと、受信したマイクロ波を整流する整流素子と、前記整流素子と並列に接続されたインピ−ダンス調整用素子と、前記整流素子と前記アンテナを整合させる整合回路と、前記整流素子によって整流された出力を平滑化する低域通過フィルタとを有し、前記アンテナの給電端に前記整合回路を接続し、前記整流素子の一端を整合回路及び前記低域通過フィルタとに接続し、他端を接地する構成として、前記整流素子のばらつき及び実装ばらつきに応じて前記インピーダンス調整用素子のインピーダンス値を変え、整流効率を一定に保つことを特徴としたマイクロ波給電回路としたものであり、簡便な回路構成により整流ダイオードの特性ばらつき及び実装ばらつきによるマイクロ波給電回路の整流効率の劣化を調整、改善させられるという作用を有する。
【００１１】
本発明の請求項３に記載の発明は、少なくともマイクロ波を受信するアンテナが形成された基板と、前記基板にフリップチップ実装され、受信したマイクロ波を整流する整流素子と、前記アンテナと前記整流素子を整合させる整合回路とを有するICと、前記整流素子と並列に配置され、前記ICと前記基板の間の距離によってインピーダンス値が決定されるインピーダンス調整用キャパシタとを有するマイクロ波給電回路としたものであり、整流ダイオードのばらつきに応じて、インピーダンス調整キャパシタのインピーダンスを前記ICと前記基板の間の距離によって決定することで、整流ダイオードの特性ばらつきによるマイクロ波給電回路の整流効率を改善させられるという作用を有する。
【００１２】
本発明の請求項４に記載の発明は、少なくともマイクロ波を受信するアンテナが形成された基板と、前記基板にフリップチップ実装され、受信したマイクロ波を整流する整流素子と前記アンテナと前記整流素子を整合させる整合回路とを有するICと、前記整流素子と並列に配置され、前記ICに形成された第1の配線と前記基板に形成された第２の配線によって構成されるインピーダンス調整用スパイラルインダクタとを有し、前記第1の配線と前記第２の配線の接点数によって、前記インピーダンス調整用スパイラルインダクタのインピーダンス値が決定されるマイクロ波給電回路としたものであり、インピーダンス調整素子のインピーダンスを調整することで、整流ダイオードの特性ばらつきによるマイクロ波給電回路の整流効率を改善させられるという作用を有する。
【００１３】
本発明の請求項５に記載の発明は、キャパシタをインピーダンス調整用素子として用いることを特徴とした請求項１、２記載のマイクロ波給電回路としたものであり、調整用素子としてキャパシタを用い、容量値を適宜調整することにより簡便な回路構成により整流ダイオードの特性ばらつき及び実装ばらつきによるマイクロ波給電回路の整流効率の劣化を調整、改善させられるという作用を有する。
【００１４】
本発明の請求項６に記載の発明は、スパイラルインダクタをインピーダンス調整用素子として用いることを特徴とした請求項１、２記載のマイクロ波給電回路としたものであり、調整用素子としてスパイラルインダクタを用い、インダクタンス値を適宜調整することにより簡便な回路構成により整流ダイオードの特性ばらつき及び実装ばらつきによるマイクロ波給電回路の整流効率の劣化を調整、改善させられるという作用を有する。
【００１５】
本発明の請求項７に記載の発明は、請求項１〜６記載のマイクロ波給電回路を用いることを特徴とした移動体識別装置としたものであり、微弱な入力電力に於いても整流効率の高いマイクロ波給電回路を有し、質問器からの信号から充分な電力が得られる小型でかつ軽量な応答器と、この応答器を用いて広いエリアでの通信が可能な移動体識別装置を実現できるという作用を有する。
【００１６】
本発明の請求項８に記載の発明は、請求項３記載のマイクロ波給電回路を作製する方法であって、ＩＣと基板の間の距離の調整は、前記ＩＣと基板前記ICを実装する際の加圧強度によっておこなうことを特徴とするマイクロ波給電回路製造方法としたものであり、ＩＣ実装時の加圧強度によってインピーダンス調整用素子のインピーダンスを制御するという容易な方法で、ＩＣ及び実装時の特性ばらつきによるマイクロ波給電回路の整流効率の劣化を調整、改善させられるという作用を有する。
【００１７】
本発明の請求項９に記載の発明は、請求項４記載のマイクロ波給電回路を作製する方法であって、前記第1の配線と前記第２の配線の接点数は、前記ICを実装する際の加圧強度によって調整することを特徴とするマイクロ波給電回路製造方法としたものであり、ＩＣ実装時の加圧強度によってインピーダンス調整用素子のインピーダンスを制御するという容易な方法で、ＩＣ及び実装時の特性ばらつきによるマイクロ波給電回路の整流効率の劣化を調整、改善させられるという作用を有する。
【００１８】
以下、本発明の実施の形態について、図１から図８を用いて説明する。
【００１９】
（実施の形態１）
以下、実施の形態１について、図１を参照しながら説明する。図１は本発明の実施の形態１におけるマイクロ波給電回路の回路図である。
【００２０】
図１に於いて、１０２はマイクロ波受信用アンテナ、１０３はアンテナ１０２に接続された整合回路部、１０８は半波整流を行う整流回路部で、整流用ダイオード１０４及びこれと並列に配置された調整用キャパシタ１０５から構成される。１０６は低域通過フィルタ部、１０７はマイクロ波給電回路の出力端である。
【００２１】
例えば、アンテナ１０２は基板１０１上にパターン形成したマイクロストリップ構造で構成する。整合回路部１０３は、アンテナ１０２と整流回路部１０８との整合を考慮したもので、分布定数線路又はチップ部品によるインダクタ１０３ａやキャパシタ１０３ｂにより構成される。低域通過フィルタ部１０６はダイオード１０４によって整流された信号を平滑化する。
【００２２】
上記構成に於いて、アンテナ１０２は図示していない装置、例えば質問器から放射される電波を受信し、整合回路部１０３を介して整流回路部１０８に供給する。整流回路部１０８では、ダイオード１０４によってマイクロ波を整流し、低域通過フィルタ部１０６を通すことで直流電力を出力端１０７に得る事が可能となる。
【００２３】
マイクロ波給電回路の効率を向上させるためには、ダイオード１０４の特性に応じた整合回路部１０３を設け、アンテナ１０２で受信した電波を低損失に整流回路部１０８に入力する必要がある。しかしながら、ダイオード１０４の端子間容量は個別素子間での大きなばらつきを有する。図２は、端子間容量として０．１ｐＦのダイオード１０４を用いた場合の半波整流回路を想定して整合回路部１０３を調整したマイクロ波給電回路での、端子間容量を変動させた場合の整流効率を解析したものである。図２より、端子間容量０．１ｐＦに対し、±０．０５ｐＦのばらつきにより整流効率が大きく劣化することがわかる。この理由は端子間容量の変動によってアンテナ１０２との整合がずれ、不整合損失が増えた事による。
【００２４】
対応としては、ダイオード１０４の端子間容量のばらつきに対し、整合回路１０３のインダクタ１０３ａとキャパシタ１０３ｂを調整する必要があるが、個別のダイオード１０４特性に応じ、インダクタ１０３ａとキャパシタ１０３ｂの２つの値を調整することは容易でなく、少数試作時はもとより、量産時に十分な特性が得られない原因となっていた。
【００２５】
調整用キャパシタ１０５は、ダイオード１０４のアノード端とカソード端間に接続され、容量を変えることで端子間容量のばらつきに対する整合状態のズレを補正する。即ち、端子間容量の規格値または平均値などで整合回路部１０３を構成し、この値に対し端子間容量が変動した場合に、変動度合いに応じて調整用キャパシタ１０５の値だけを調整することで整流効率の劣化を防ぐものである。調整用キャパシタ１０５の容量は、例えば０ｐF〜０．５ｐFである。
【００２６】
以上より、整流用ダイオード１０４のアノード端とカソード端間に接続した調整用キャパシタ１０５を設け、その容量値だけを調整することで、ダイオード４の特性ばらつきにともなう整流効率の劣化を容易に調整、改善することが可能なマイクロ波給電回路を実現することができるという有利な効果が得られる。
【００２７】
（実施の形態２）
以下、実施の形態２について、図３を参照しながら説明する。図３は本発明の実施の形態２におけるマイクロ波給電回路の回路図である。
【００２８】
図３に於いて、整流回路部３０８はアノード端を接地した整流用ダイオード３０４と、ダイオード３０４と並列に配置された調整用キャパシタ３０５によって構成されており、図３に於いて第1の実施の形態と異なるのは、整流用ダイオード３０４のアノード端を接地する構成とすることで、整流用ダイオード３０４の直列抵抗成分による変換損失を無くした点である。
【００２９】
従来、本構成による整流回路部３０３は、端子間容量のばらつきのみならず、ダイオード３０４の接地側端子の実装状態ばらつきや接地部パターン形状の影響によって、ダイオード３０４部の特性が変動し、ダイオード３０４の実装後に整合回路部３０３を調整する必要があった。しかしながら、個別基板毎にインダクタ３０３ａとキャパシタ３０３ｂの２つの値を調整することは容易でなく、少数試作時はもとより、量産時に十分な特性が得られない原因となっていた。
【００３０】
そこで、本構成ではダイオード３０４と並列に調整用キャパシタ３０５を接続し、この容量を変えることで端子間容量及び実装状態のばらつき、接地部パターン形状の影響による整合状態のズレを補正するものであり、調整用キャパシタ３０５の値だけを調整することで整流効率の劣化を防ぐものである。調整用キャパシタ３０５の容量は、例えば０ｐF〜０．５ｐFである。
【００３１】
以上より、ダイオード３０４と並列に調整用キャパシタ３０５を設け、その容量値だけを調整することで、整流効率の劣化を容易に調整、改善することが可能なマイクロ波給電回路を実現することができるという有利な効果が得られる。
【００３２】
（実施の形態３）
以下、実施の形態３について、図４〜図５を参照しながら説明する。図４は本発明の実施の形態４における移動体識別装置用応答器の断面構造図、図５は概略実装図である。
【００３３】
図４及び図５に於いて、４０１はIC、４０２は応答器基板、４０３は調整用コンデンサであり、IC側に備えられた電極４０４と応答器基板側に備えられた電極４０５によって構成される。４０６は調整時に用いるテスト端子、４０８はバンプである。第３の実施の形態に於いて第1の実施の形態と異なるのは、調整用キャパシタ４０３の調整方法について、具体構造を示し説明している点である。その他の構成と機能は第１の実施の形態にて説明したものと同様である。
【００３４】
IC４０１は応答器基板４０２にフリップチップ実装され、IC側電極４０４と基板側電極４０５によって調整用の平行平板型キャパシタ４０３が構成される。実装／調整時には、テスト端子５０９から信号を入力し、出力端５０７からテスト信号、例えば整流された直流電力をもとに整流回路の整合状態を判定し、IC４０１の加圧状態を変えてバンプ４０８の高さを変えることで、調整用キャパシタ４０３の容量を調整し、整合状態のずれによる変換効率の劣化を調整、改善する。例えば、電極４０４、４０５を２５０μｍ角とし、封止材の誘電率を５とするとバンプ高さを６０から２０μｍに変化させることで、調整用コンデンサ４０３の容量を０．０５ｐFから０．１５ｐFとすることができる。
【００３５】
以上より、IC４０１実装時の加圧状態によって調整用キャパシタ４０３の容量を変化させることで、整流効率の劣化を容易に調整、改善することが可能なマイクロ波給電回路を実現することができるという有利な効果が得られる。
【００３６】
なお、上記説明ではIC４０１と応答器基板４０２に電極を設けることで調整用キャパシタ４０３を構成するように記載したが、IC４０１または応答器基板４０２のどちらか一方に調整用キャパシタ４０３を設置し、他方に設置した調整部、例えば電極との間隔をIC実装時の加圧状態によって変えることによって、調整用コンデンサの容量値を変えるように構成してもよい。
【００３７】
なお、上記説明では個別調整に用いるように記載したが、予め特性を抽出したダイオードにおいて、ロット間ばらつきの影響を吸収することに用いてもよい。
【００３８】
（実施の形態４）
以下、実施の形態４について、図６及び図７を参照しながら説明する。図６は本発明の実施の形態４における移動体識別装置用応答器の断面構造図である。図７は、マイクロ波給電回路の回路図である。
【００３９】
図６に於いて、６０１はIC、６０２は応答器基板、６０３は調整用配線、６０５は調整用スパイラルインダクタである。第４の実施の形態に於いて第1の実施の形態と異なるのは、調整用にスパイラルインダクタ６０５と高さの異なる複数のバンプ６０４を用い、その調整方法について、具体構造を示し説明している点である。その他の構成と機能は第１の実施の形態にて説明したものと同様である。
【００４０】
図７において、IC６０１は応答器基板６０２にフリップチップ実装されるが、この際、テスト端子７０９から信号を入力し、出力端７０７からテスト信号、例えば整流された直流電力をもとに整流回路７０３の整合状態を判定する。インダクタンス６０５を小さくするには、IC６０１の加圧を強くしてバンプ６０８を潰し、調整用配線６０３のバンプ６０４ａがスパイラルインダクタ６０５と接続するようにすることで、インダクタ６０５の配線の一部を短絡することができる。更に小さくするためには加圧を続け、バンプ６０４ｂも接続させればよりこのことでインダクタンス値を調整し、整合状態のずれによる変換効率の劣化を調整、改善する。
【００４１】
以上より、IC６０１実装時の加圧状態によって調整用スパイラルインダクタ６０５のインダクタンス値を変化させることで、整流効率の劣化を容易に調整、改善することが可能なマイクロ波給電回路を実現することができるという有利な効果が得られる。
【００４２】
なお、図６においては、高さの異なるバンプ６０４を用いたが、同じ高さのバンプを複数用いても良い。
【００４３】
（実施の形態５）
以下、実施の形態５について、図８を参照しながら説明する。図８は本発明の実施の形態５における移動体識別装置の概略ブロック図である。
【００４４】
図８に於いて、８２０は質問器、８１５は応答器である。応答器８３０の第１のアンテナ８０２、整合回路部８０３、ダイオード８０４、調整用キャパシタ８０５、低域通過フィルタ部８０６は、図１の実施の形態１で説明したマイクロ波給電回路の構成および機能と同じである。８１０は質問器８２０からの放射電波を反射する第２のアンテナ、８１１は第２のアンテナ８１０に接続された変調器、８１２は低域通過フィルタ部８０６の出力から電源電力を得て動作する応答器
制御部、８１３は応答器制御部８１２に接続されたメモリである。
【００４５】
８２１は質問器８２０から電波を放射すると共に応答器８１５からの反射電波を受波する送受信アンテナ、８２２は送受信アンテナに接続されたサーキュレータ、８２３は送受信アンテナに送信信号を出力する送信部、８２４はＶＣＯなどから構成された送信部の搬送波周波数に応じた信号を生成するシンセサイザ部、８２５はサーキュレータ８２２に接続された応答器８１５からの反射信号を復調する復調部、８２６は送信部８２３や復調部８２５やシンセサイザ部８２４に接続された質問器制御部である。
【００４６】
以上のような構成で以下その動作を説明する。応答器８１５は人が所持しまたは移動体に付設する。この応答器８１５には予め所持している人あるいは移動体の情報がメモリ８１３に記憶されている。質問器８２０は定置に設置され、例えば質問器８２０の立ち上げ時などで質問器制御部８２６はシンセサイザ部８２４を制御し、所定の周波数の信号をシンセサイザ部８２４より出力する。この信号を受けた送信部８２３は所定の出力に増幅したマイクロ波帯の無変調電波をサーキュレータ８２２を介して送受信アンテナ８２１より放射する。
【００４７】
送受信アンテナ８２１の近傍を移動した応答器８１５は、質問器８２０から放射された電波を受信し実施の形態１記載のマイクロ波給電回路により効率良く直流電力を得る。この電力により、応答器制御部８１２などが動作を開始する。応答器制御部１２は、メモリ８１３に予め記憶されている情報に応じて変調器８１１を動作させ、第２のアンテナ１０により質問器８２０から放射された無変調波電波を変調反射する。この変調動作は、例えばメモリ８１３の情報に応じて変調器８１１で第２のアンテナ８１０の整合条件を変え反射信号の強度や位相を変化させることで実現できる。
【００４８】
応答器８１５からの変調された反射信号は、質問器８２０の送受信アンテナ８２１で受信し、サーキュレータ８２２を介し復調部８２５で復調し、質問器制御部８２６で応答器８１５のメモリ８１３に予め記憶されている情報を得る。
【００４９】
応答器８１５に実施の形態１記載のマイクロ波給電回路を用いる事で、例えば第１のアンテナ８０２の受信電界強度として１ｍＷ程度の微弱な入力電力に於いても、ダイオード８０４は動作し、調整用キャパシタ８０５により高効率に直流電力を得ることが可能となる。なお、質問器８２０の送信電力を３００ｍＷ、送受信アンテナ８２１の空中線利得を約１５ｄＢｉとすると、１ｍＷの受信電力は質問器２０から約１ｍ離れた位置となる。
【００５０】
例えば、このような応答器８１５をベルトコンベア上を移動する様々な形状の物品に配付し質問器８２０から識別するシステムに於いても、応答器８１５の動作範囲が約１ｍと長いため物品の大きさに応じた質問器８２０と応答器８１５との距離変動にも追従できる使い易い移動体識別装置を実現することができる。
【００５１】
以上の構成では、応答器８１５は質問器８２０からの情報を得ることができない構成であるが、第１のアンテナ８０２または第２のアンテナ８１０に復調回路を接続し、応答器制御部８１２に復調信号に応じた動作制御機能を付加してもよい。また、応答器８１５として第１のアンテナ８０２及び第２のアンテナ８１０の２つのアンテナを有する構成を図示したが、１つのアンテナで兼用しても良い。逆に質問器８２０アンテナとして、送信と受信を兼用する送受信アンテナ８２１を有する構成を図示したが、別々な構成でも構わない。
【００５２】
以上より、実施の形態１〜４に記載したマイクロ波給電回路を設けた応答器８１５と質問器８２０とにより移動体識別装置を構成することで、質問器８２０から離れた応答器８１５０に応答器８１５内の電子回路を動作させるのに必要な電力を供給する事が可能となり、質問器８２０による応答器８１５の情報の読み出し距離を長くすることが可能となり、より使い易い移動体識別装置を実現できるという有利な効果が得られる。
【００５３】
【発明の効果】
以上のように本発明によれば、ダイオードと並列に接続した調整用キャパシタの値だけを調整することで、ダイオードの特性ばらつきに応じた整流効率の劣化を簡単に改善するマイクロ波給電回路を実現することができるという有利な効果が得られる。
【００５４】
また、このマイクロ波給電回路構成を用いて応答器を構成する事で、質問器による応答器の情報の読み出し距離を長くすることが可能となり、より使い易い移動体識別装置を実現できるという有利な効果が得られる。
【図面の簡単な説明】
【図１】本発明の一実施の形態によるマイクロ波給電回路の回路図
【図２】本発明の一実施の形態によるマイクロ波給電回路の効果を示す図
【図３】本発明の一実施の形態によるマイクロ波給電回路の回路図
【図４】本発明の一実施の形態によるマイクロ波給電回路の実装部断面図
【図５】本発明の一実施の形態によるマイクロ波給電回路の回路図
【図６】本発明の一実施の形態によるマイクロ波給電回路の実装部断面図
【図７】本発明の一実施の形態によるマイクロ波給電回路の回路図
【図８】本発明の一実施の形態による移動体識別装置の概略ブロック図
【図９】従来の移動体識別装置用応答器の要部回路図
【符号の説明】
１０１  基板
１０２  アンテナ
１０３  整合回路部
１０４  ダイオード
１０５  調整用キャパシタ
１０６  低域通過フィルタ部
１０７  出力端
１０８  整合回路部
４０１  IC
４０２  基板
４０３  調整用キャパシタ
４０４  IC側電極
４０５  基板側電極
４０８  バンプ
５０９  テスト端
６０３  調整用配線
６０５  調整用スパイラルインダクタ
８０２  第1のアンテナ
８０３  整合回路部
８０４  整流回路部
８０６  低域通過フィルタ
８１０  第２のアンテナ
８１１  変調器
８１２  応答器制御部
８１３  メモリ
８１４  電源線
８１５  応答器
８２０  質問器
８２１  送受信アンテナ
８２２  サーキュレータ
８２３  送信部
８２４  シンセサイザ部
８２５  復調部
８２６  質問器制御部
９０１  基板
９０２  マイクロストリップライン
９０３  放射素子
９０４ａ  ダイオード
９０４ｂ  ダイオード
【図１】
0003674464.tif 000002
【図２】
0003674464.tif 000003
【図３】
0003674464.tif 000004
【図４】
0003674464.tif 000005
【図５】
0003674464.tif 000006
【図６】
0003674464.tif 000007
【図７】
0003674464.tif 000008
【図８】
0003674464.tif 000009
【図９】
0003674464.tif 000010